(57)【要約】【課題】踏板を側枠に固定しているボルトが緩むようなことがあっても、踏板を脱落させることなく側枠に保持させて、事故を防止出来る足場用階段を提供する。【解決手段】傾斜状に配置される左右一対の側枠１，１間に、踏板本体３の左右両端部に端部キャップ４，４を嵌合固定してなる踏板２を水平に横架してなる階段Ｋであって、各踏板２は、各側枠１から挿通したボルト５を各端部キャップ４に設けた雌ねじ部６に螺合して締め付けることにより、両側枠１，１に固定される足場用階段Ｋにおいて、各踏板２に、踏板本体３の内部から各端部キャップ４に設けた貫通孔２０を貫通して外部へ突出する踏板脱落防止用シャフト１０を設け、このシャフト１０の端部キャップ４から突出する端部１０ａを、各側枠１のシャフト挿通孔２１に挿通させるようにする。【選択図】図５
2005126979.tif 000002
【特許請求の範囲】
【請求項１】
傾斜状に配置される左右両側一対の側枠間に、踏板本体の左右両端部に断面コ字状の端部キャップを嵌合固定してなる踏板を水平に一定間隔おきに横架してなる階段であって、各踏板は、各側枠から挿通したボルトを端部キャップに設けた雌ねじ部に螺合して締め付けることにより側枠に固定されるようになっている足場用階段において、
各踏板には踏板本体の内部から各端部キャップに設けた貫通孔を貫通して外部へ所要長さ突出する踏板脱落防止用シャフトを設け、このシャフトの端部キャップから突出する突出端部を、各側枠に設けたシャフト挿通孔に挿通させてなることを特徴とする足場用階段。
【請求項２】
踏板脱落防止用シャフトは、踏板本体の内部を左右方向に貫通すると共に両端部キャップの貫通孔を貫通するシャフト単体からなり、このシャフト単体には、両端部が両端部キャップの貫通孔から夫々所定長さ突出した位置で軸方向に移動しないように踏板本体内に保持するストッパーを設けてなる請求項１に記載の足場用階段。
【発明の詳細な説明】
【技術分野】
【０００１】
本発明は、建築作業現場の組立足場に使用される足場用階段に関するものである。
【背景技術】
【０００２】
従来の足場用階段として、公知文献を具体的に挙げることは出来ないが、従来より使用されている階段は、傾斜状に配置される左右両側一対の金属製側枠間に、金属製踏板本体の左右両端部に横断面コ字状の金属製端部キャップを嵌合固定してなる踏板を、水平姿勢にて一定間隔おきに横架してなるもので、各踏板は、側枠から挿通した固定用ボルトを端部キャップに設けた雌ねじ部に螺合して締め付けることによって、両側枠に固定されるようになっている。
【発明の開示】
【発明が解決しようとする課題】
【０００３】
上記のような構成の従来の足場用階段においては、各踏板を側枠に固定しているボルトが緩んだ場合に、踏板が側枠から脱落して大きな事故を招くと云う問題があった。
【０００４】
本発明は、上記の課題に鑑み、踏板を側枠に固定しているボルトが緩むようなことがあっても、踏板を脱落させることなく側枠に保持させて、事故を防止することの出来る足場用階段を提供することを目的とする。
【課題を解決するための手段】
【０００５】
上記課題を解決するための手段を、後述する実施形態の参照符号を付して説明すると、請求項１に係る発明は、傾斜状に配置される左右両側一対の側枠１，１間に、踏板本体３の左右両端部に断面コ字状の端部キャップ４，４を嵌合固定してなる踏板２を水平に一定間隔おきに横架してなる階段Ｋであって、各踏板２は、各側枠１から挿通したボルト５を各端部キャップ４に設けた雌ねじ部６に螺合して締め付けることによって、両側枠１，１に固定されるようになっている足場用階段Ｋにおいて、各踏板２には踏板本体３の内部から各端部キャップ４に設けた貫通孔２０を貫通して外部へ所要長さ突出する踏板脱落防止用シャフト１０を設け、このシャフト１０の端部キャップ４から突出する突出端部１０ａを、各側枠１に設けたシャフト挿通孔２１に挿通させてなることを特徴とする。
【０００６】
請求項２は、請求項１に記載の足場用階段Ｋにおいて、踏板脱落防止用シャフト１０は、踏板本体３の内部を左右方向に貫通すると共に両端部キャップ４，４の貫通孔２０，２０を貫通するシャフト単体からなり、このシャフト単体には、両端部１０ａ，１０ａが両端部キャップ４，４の貫通孔２０，２０から夫々所定長さ突出した位置で軸方向に移動しないように踏板本体３内に保持するストッパー２２を設けてなることを特徴とする。
【発明の効果】
【０００７】
上記解決手段による発明の効果を、後述する実施形態の参照符号を付して説明すると、請求項１に係る発明によれば、足場用階段Ｋの使用中に、踏板２を側枠１に固定しているボルト５が緩んで外れるようなことがあっても、その踏板２は、両突出端部１０ａ，１０ａをシャフト挿通孔２１，２１に挿通させた踏板脱落防止用シャフト１０によって両側枠１，１に保持されることになって、脱落が防止される。
【０００８】
請求項２に係る発明によれば、踏板脱落防止用シャフト１０は、踏板本体３の内部を左右方向に貫通すると共に両端部キャップ４，４の貫通孔２０，２０を貫通するシャフト単体からなるため、踏板本体３への取付が簡単となる。
【発明を実施するための最良の形態】
【０００９】
以下に本発明の好適な実施形態を図面に基づいて説明すると、図１は本発明に係る足場用階段Ｋの使用状態を示す斜視図、図２は同足場用階段Ｋの側面図、図３の(a) は図２の矢印Ａで囲まれる部分の拡大図、(b) は図２の矢印Ｂで囲まれる部分の拡大図、図４は図２のＸ−Ｘ線拡大断面図である。図５の(a) は踏板２の端部側を示す斜視図、(b) は足場用階段Ｋの要部断面斜視図、(c) は踏板脱落防止用シャフト１０の一部を示す斜視図であり、(d) は踏板脱落防止用シャフト１０の横断面図である。
【００１０】
この足場用階段Ｋは、傾斜状に配置される左右両側一対の側枠１，１に踏板２を側枠１の長手方向に沿って一定間隔おきに水平に横架してなるもので、両側枠１，１の夫々上下両端部には掛止用フック７ａ，７ｂが取り付けられ、各掛止用フック７ａ，７ｂは、図１に示すような枠組足場Ｗの建枠８の横材９に掛止出来るようになっており、また下端側の掛止用フック７ｂは、図３の(b) に示すように床面Ｆ上に安定状態に接地出来るようになっている。
【００１１】
各踏板２は、踏板本体３と、この踏板本体３の左右両端部に嵌合固定される断面コ字状の端部キャップ４，４とからなるもので、各側枠１から挿通したボルト５を各端部キャップ４に取り付けたナット６（雌ねじ部）に螺合して締め付けることによって、両側枠１，１に挟まれた状態で固定されるようになっている。また各踏板２には、図５の(a) に示すように踏板本体３の内部から各端部キャップ４に設けた貫通孔２０を貫通して外部へ所要長さ突出する踏板脱落防止用シャフト１０が装備されていて、このシャフト１０の端部キャップ４から突出する突出端部１０ａが、同図の(b) に示すように各側枠１に設けたシャフト挿通孔２１に挿通されている。
【００１２】
上記足場用階段Ｋの構造について更に詳細に説明すると、各側枠１は、図４及び図５に示すような断面略コ字状のアルミニウム合金の押し出し型材からなるもので、コ字状溝部１ｃを外向きにして配置される。尚、図示は省略するが、側枠１には、一定角度傾斜した位置で各踏板２が水平に取り付けられる位置に左右一対のボルト挿通孔が設けられている。
【００１３】
各踏板２の踏板本体３は、図６の(b) に示すような断面形状のアルミニウム合金の押し出し型材からなるもので、裏面側の前後両側端部及びその中間部に角筒状の補強枠部１１，１１，１２を形成し、同図の(a) に示すように、表面側には前後両側端部及びその中間部に滑り止め用凹凸条部１３，１３，１４を形成すると共に、凹凸条部１３と凹凸条部１４との間には滑り止め用孔部１５がバーリング加工によって形成されている。
【００１４】
端部キャップ４は、図７の(a) 〜(d) から分かるように、外側壁部４ａと上下壁部４ｂ，４ｂとで断面略コ字状に形成されるアルミニウム合金の押し出し型材からなるもので、外側壁部４ａの中央部域が隆起して、その隆起部１６の左右両端部にボルト挿通孔１７，１７が設けられ、各ボルト挿通孔１７の裏側にナット６（雌ねじ部）が同心状に固着されている。また、隆起部１６の中央部には踏板脱落防止用シャフト１０の端部１０ａを貫通させる貫通孔２０が設けられている。上下各壁部４ｂの両端部にはリベット孔１８が設けられている。
【００１５】
踏板脱落防止用シャフト１０は、図５の(c) 及び図８の(a) から分かるように、踏板本体３の長さよりも長い１本の丸鋼管（シャフト単体）からなるもので、踏板本体３の角筒状補強枠部１２内に挿通されて、両端部１０ａ，１０ａが踏板本体３の両端から突出すると共に、端部キャップ４，４の貫通孔２０，２０を貫通して突出するようになっている。このシャフト１０には、両端部１０ａ，１０ａが両端部キャップ４，４の貫通孔２０，２０から夫々所定長さ突出した位置で軸方向に移動しないように踏板本体３の角筒状補強枠部１２内に保持するためのストッパー２２が設けられている。
【００１６】
上記ストッパー２２は、図５の(a) ，(c) 及び図６の(a) ，(b) に示すように、丸鋼管であるシャフト１０の直径方向両側部に突設されて夫々の両端部が所定長さ切除された凸条部からなるもので、凸条部２２の長さは踏板本体３の長さと等しくなるように設定される。即ち、踏板脱落防止用シャフト１０を踏板２内に装備した時に、ストッパー２２である凸条部の両端面が端部キャップ４，４の貫通孔２０，２０の開口端面に当接することによって、シャフト１０の軸方向移動が規制されることになる。
【００１７】
図８の(a) ，(b) には、踏板本体３の左右両端部に夫々端部キャップ４を嵌合し、リベット孔１８を利用して端部キャップ４を踏板本体３にリベット１９結合することにより、踏板２を組立形成した状態を示している。
【００１８】
上記のようにして組立形成した踏板２を、傾斜状に配置した左右両側一対の側枠１，１間に介在させて、各踏板２の両端部キャップ４，４から夫々突出する踏板脱落防止用シャフト１０，１０の端部10a ，１０ａを、側枠１，１のシャフト挿通孔２１，２１に挿通させた状態で、両側枠１，１のボルト挿通孔からボルト５を端部キャップ４，４側のナット６に螺合して締め付けることにより、各踏板２は、両側枠１，１に挟まれた状態で固定される。この状態を図３、図４及び図５の(b) に示す。
【００１９】
以上説明したように、本発明に係る足場用階段Ｋにおいては、各踏板２には、踏板本体３の内部から各端部キャップ４に設けた貫通孔２０を貫通して外部へ所要長さ突出する踏板脱落防止用シャフト１０を設けて、このシャフト１０の両端部キャップ４，４から突出する突出端部１０ａ，１０ａを、両側枠１，１に設けたシャフト挿通孔２１，２１に挿通させているから、足場用階段Ｋの使用中に、或る踏板２を側枠１に固定しているボルト５が緩んで外れるようなことがあっても、その踏板２は、両突出端部１０ａ，１０ａがシャフト挿通孔２１，２１に挿通された踏板脱落防止用シャフト１０によって両側枠１，１に保持されることになって、脱落が防止される。
【００２０】
この踏板脱落防止用シャフト１０は、踏板本体３の内部を左右方向に貫通すると共に両端部キャップ４，４の貫通孔２０，２０を貫通するシャフト単体からなるため、踏板本体３への取付が簡単となり、例えばこの実施形態では、踏板本体３に設けられた角筒状補強枠部１２内に貫通させればよく、シャフト取付のための加工を何ら必要としない。
【００２１】
この場合、このシャフト単体には、両端部１０ａ，１０ａが両端部キャップ４，４の貫通孔２０，２０から夫々所定長さ突出した位置で軸方向に移動しないように踏板本体３内に保持するための凸条部からなるストッパー２２が設けられているから、シャフト１０の端部１０ａが側枠１のシャフト挿通孔２１から抜け出るおそれがない。
【００２２】
この実施形態では、踏板本体３の内部を左右方向に貫通するシャフト単体からなる踏板脱落防止用シャフト１０を採用しているが、踏板本体３の左右両端部側に夫々個別に取り付けたシャフトの端部を端部キャップ４から側枠１のシャフト挿通孔２１に挿通させるようなものでもよい。
【００２３】
また、踏板本体３の内部を左右方向に貫通するシャフト単体からなる踏板脱落防止用シャフト１０の場合において、２本のシャフト単体を使用し、両シャフトの夫々の端部を、各側枠１に設けた左右２つのシャフト挿通孔２１に挿通させるようにしてもよい。これは、踏板本体３の左右両端部側に夫々個別に取り付けたシャフトの場合でも同様である。
【００２４】
また、ストッパー２２は、シャフト１０の直径方向両側部に突設されて夫々の両端部が所定長さ切除された凸条部に限るものではなく、踏板脱落防止用シャフト１０が両端部キャップ４，４の貫通孔２０，２０から夫々所定長さ突出した位置で軸方向に移動しないように踏板本体３内に保持するものであれば、どのようなものでもよい。但し、シャフト単体からなる踏板脱落防止用シャフト１０の場合には、この実施形態のようにシャフト１０の直径方向両側部に突設されて夫々の両端部が所定長さ切除された凸条部を採用すれば、構造が簡単で、作業が容易となる。
【図面の簡単な説明】
【００２５】
【図１】本発明に係る足場用階段の使用状態を示す斜視図である。
【図２】同足場用階段の側面図である。
【図３】(a) は図２の矢印Ａで囲まれる部分の拡大図、(b) は図２の矢印Ｂで囲まれる部分の拡大図である。
【図４】図４は図２のＸ−Ｘ線拡大断面図である。
【図５】(a) は踏板２の端部側を示す斜視図、(b) は足場用階段の要部断面斜視図、(c) は踏板脱落防止用シャフトの一部を示す斜視図であり、(d) は踏板脱落防止用シャフトの横断面図である。
【図６】(a) は踏板本体を示す平面図、(b) は側面図である。
【図７】(a) は端部キャップの正面図、(b) は平面図、(c) は端面図、(d) は(a) のＹ−Ｙ線拡大断面図である。
【図８】(a) は踏板の平面図、(b) は側面図である。
【符号の説明】
【００２６】
Ｋ          足場用階段
１          側枠
２          踏板
３          踏板本体
４          端部キャップ
５          ボルト
６          ナット（雌ねじ部）
１０        踏板脱落防止用シャフト
１０ａ      シャフトの端部
２０        端部キャップの貫通孔
２１        側枠のシャフト挿通孔
２２        ストッパー
【図１】
2005126979.tif 000003
【図２】
2005126979.tif 000004
【図３】
2005126979.tif 000005
【図４】
2005126979.tif 000006
【図５】
2005126979.tif 000007
【図６】
2005126979.tif 000008
【図７】
2005126979.tif 000009
【図８】
2005126979.tif 000010